【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、
地域限定サービスの契約者世帯の宅内に、地域限定ネットワークに一方のポートを接続された集線装置を備え、該集線装置の複数の他方のポートのうち１つは宅内の端末に接続され、残りの他方のポートの少なくとも１つはテレビ受像機に接続され、火災警報、防犯警報の情報を前記テレビ受像機に表示するよう構成して複数の住宅用それぞれに設けるようにしたことを特徴とする地域限定ネットワークシステム。
【請求項２】
利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成された地域限定ネットワークシステムに含まれた集線装置であって、
前記集線装置が、地域限定サービスの契約者世帯の宅内に、地域限定ネットワークに一方のポートを接続され、該集線装置の複数の他方のポートのうち１つは宅内の端末に接続され、残りの他方のポートの少なくとも１つはテレビ受像機に接続され、火災警報、防犯警報の情報を前記テレビ受像機に表示させるよう構成したことを特徴とする集線装置。
【請求項３】
利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、
ネットデリバリーサービスとして、食材調達、（衣類）クリーニング、ハウスクリーニング、日用品雑貨調達、育児用品調達、高齢者介護、食事、健康管理、薬、化粧品、銀行（預貯金）の少なくとも一つのサービス情報を提供するようにしたことを特徴とする地域限定サービス提供装置。
【請求項４】
利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、
ネットコミュニケーションサービスとして、回覧板、管理人連絡、サークル連絡、Ｅメールなど、の少なくとも１つのサービス情報を提供するようにしたことを特徴とする地域限定サービス提供装置。
【手続補正２】
【補正対象書類名】明細書
【補正対象項目名】発明の名称
【補正方法】変更
【補正の内容】
【発明の名称】地域限定ネットワークシステム、集線装置、地域限定サービス網
【手続補正３】
【補正対象書類名】明細書
【補正対象項目名】０００１
【補正方法】変更
【補正の内容】
【０００１】
本発明はインターネットを利用してマンションや分譲団地の入居者に地域限定サービスを提供する地域限定ネットワークシステム、集線装置、地域限定サービス網に関するものである。
【手続補正４】
【補正対象書類名】明細書
【補正対象項目名】０００８
【補正方法】変更
【補正の内容】
【０００８】
本発明はこのような点に鑑みてなされたものであり、その目的とするところは、インターネットのような開放型ネットワークへの接続環境を利用して地域限定サービスのための情報を契約者間でのみ送受可能とすることにより、サービス提供者は宅配コストや広告費用を節約できると共に、サービス利用者は生活や地域に密着した情報や商品を低コストで簡便に入手できる地域限定ネットワークシステム、集線装置、地域限定サービス網を実現することにある。
【手続補正５】
【補正対象書類名】明細書
【補正対象項目名】０００９
【補正方法】変更
【補正の内容】
【０００９】
請求項１の地域限定ネットワークシステムにあっては、上記の課題を解決するために、利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、地域限定サービスの契約者世帯の宅内に、地域限定ネットワークに一方のポートを接続された集線装置を備え、該集線装置の複数の他方のポートのうち１つは宅内の端末に接続され、残りの他方のポートの少なくとも１つはテレビ受像機に接続され、火災警報、防犯警報の情報を前記テレビ受像機に表示するよう構成して複数の住宅用それぞれに設けるようにしたことを特徴とするものである。ここで、開放型ネットワークへの接続手段とは、たとえばインターネットの通信プロトコルやブラウザソフト、メールソフトなどを含む概念であり、契約者認証手段とは例えばＩＣカードのようなものである。
【手続補正６】
【補正対象書類名】明細書
【補正対象項目名】００１０
【補正方法】変更
【補正の内容】
【００１０】
請求項２の発明によれば、利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成された地域限定ネットワークシステムに含まれた集線装置であって、前記集線装置が、地域限定サービスの契約者世帯の宅内に、地域限定ネットワークに一方のポートを接続され、該集線装置の複数の他方のポートのうち１つは宅内の端末に接続され、残りの他方のポートの少なくとも１つはテレビ受像機に接続され、火災警報、防犯警報の情報を前記テレビ受像機に表示させるよう構成したことを特徴とするものである。
【手続補正７】
【補正対象書類名】明細書
【補正対象項目名】００１１
【補正方法】変更
【補正の内容】
【００１１】
請求項３の発明によれば、利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、ネットデリバリーサービスとして、食材調達、（衣類）クリーニング、ハウスクリーニング、日用品雑貨調達、育児用品調達、高齢者介護、食事、健康管理、薬、化粧品、銀行（預貯金）の少なくとも一つのサービス情報を提供するようにしたことを特徴とするものである。
【手続補正８】
【補正対象書類名】明細書
【補正対象項目名】００１２
【補正方法】変更
【補正の内容】
【００１２】
請求項４の発明によれば、利用者が限定されない開放型ネットワークに専用線を介して接続された地域限定ネットワークと、地域限定ネットワークに接続された複数の端末と、各端末に備わる開放型ネットワークへの接続手段及び地域限定サービスの契約者認証手段と、開放型ネットワーク又は地域限定ネットワークのいずれかに接続されて契約者認証手段を備える端末との間で地域限定サービスのための情報を開放型ネットワークへの接続手段を用いて送受するサーバとから構成され、ネットコミュニケーションサービスとして、回覧板、管理人連絡、サークル連絡、Ｅメールなど、の少なくとも１つのサービス情報を提供するようにしたことを特徴とするものである。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本願の各請求項に係る発明によれば、開放型ネットワークへの接続環境を利用することにより安価に地域限定サービスを提供することができ、また、契約者認証手段を備えることにより開放型ネットワークへの接続手段を用いて地域限定サービスのための情報を送受しても、地域限定サービスの契約者とサービス提供業者のみが利用できる閉鎖的なネットワークを構築することができ、したがって、契約者は所望のネットサービスの画面に到達するまでの時間と手間を節約でき、サービスを提供する側も宅配コストや広告費用を節約できるという利点がある。さらに、利用者にとっては地域限定サービスを受けられるだけでなく、開放型ネットワークの利用環境も追加のコスト負担無しに同時に得られるので、集合住宅や分譲団地での導入の合意を得やすいという利点もある。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】